(57)【要約】  ネットワーク設定項目の設定の変更の自動化を、特定の基地局を有さないアドホックネットワーク上で実現する。複数の端末が接続されるネットワークの設定を変更するためのネットワーク設定変更方法であって、要求元の端末が、設定変更要求を選択された代表端末に送信するステップと、前記選択された代表端末が、前記設定変更要求を受信したならば、少なくとも過半数の代表端末に許可要求を送信するステップと、前記選択された代表端末が、過半数の代表端末から、前記許可要求に対する許可通知を受信したならば、前記要求元の端末に、成功通知を送信するステップと、前記要求元の端末が、前記成功通知を受信したならば、少なくとも設定変更の内容を含む実行通知を前記複数の端末に送信するステップと、前記実行通知を受信した端末が、前記設定変更の内容に従って、設定変更をするステップとを有する。
2012161300.tif 000002
【特許請求の範囲】
【請求項１】
複数の端末が接続されるネットワークの設定を変更するためのネットワーク設定変更方法であって、
要求元の端末が、設定変更要求を選択された代表端末に送信するステップと、
前記選択された代表端末が、前記設定変更要求を受信したならば、少なくとも過半数の代表端末に許可要求を送信するステップと、
前記選択された代表端末が、過半数の代表端末から、前記許可要求に対する許可通知を受信したならば、前記要求元の端末に、成功通知を送信するステップと、
前記要求元の端末が、前記成功通知を受信したならば、少なくとも設定変更の内容を含む実行通知を前記複数の端末に送信するステップと、
前記実行通知を受信した端末が、前記設定変更の内容に従って、設定変更をするステップと、
を有することを特徴とするネットワーク設定変更方法。
【請求項２】
請求項１に記載のネットワーク設定変更方法であって、
前記実行通知は、変更実行時刻も含み、
前記実行通知を受信した端末は、前記変更実行時刻が到来したならば、前記設定変更をするステップを実行することを特徴とするネットワーク設定変更方法。
【請求項３】
請求項１又は２に記載のネットワーク設定変更方法であって、
前記選択された代表端末が、過半数の代表端末から前記許可要求に対する許可通知を受信できないことを判断したならば、前記要求元の端末に失敗通知を送信するステップを更に有することを特徴とするネットワーク設定変更方法。
【請求項４】
請求項１乃至３の何れか１に記載のネットワーク設定変更方法であって、
前記許可要求に対する前記許可通知を送信した代表端末が、許可可能状態フラグをリセットするステップと、
前記代表端末が、前記許可要求を受信した時に、前記許可可能状態フラグがリセットされている場合には、前記許可要求に対して不許可通知を許可通知の代わりに送信するステップと、
を更に有することを特徴とするネットワーク設定変更方法。
【請求項５】
請求項４に記載のネットワーク設定変更方法であって、
前記代表端末が、前記設定を実行したならば、前記許可可能状態フラグをセットするステップを更に有することを特徴とするネットワーク設定変更方法。
【請求項６】
請求項４又は５に記載のネットワーク設定変更方法であって、
前記選択された代表端末が、過半数の代表端末から、前記許可要求に対する許可通知を受信できないことを判断したならば、前記許可要求の送信先代表端末に解除通知を送信するステップと、
前記代表端末が、前記解除通知を受信したならば、前記許可通知状態フラグをセットするステップを更に有することを特徴とするネットワーク設定変更方法。
【請求項７】
請求項１乃至６の何れか１に記載のネットワーク設定変更方法であって、
前記実行通知を受信した端末が、設定変更の内容通りの変更があると不都合が生ずると判断したならば、設定変更の前の設定の内容でもなく、設定変更の後の設定の内容でもない設定変更の内容を含む実行通知を送信するために、設定変更要求を送信するステップを更に有することを特徴とするネットワーク設定変更方法。
【請求項８】
請求項１乃至７の何れか１に記載のネットワーク設定変更方法であって、
端末が不都合な設定に関する情報を他の端末に送信するステップを更に備え、
前記不都合な設定に関する情報を受信した後に前記成功通知を受信した端末は、変更後の設定が前記不都合な設定に一致しないような設定変更の内容を含む実行通知を送信することを特徴とするネットワーク設定変更方法。
【請求項９】
複数の端末が接続されるネットワークの設定を変更するためのネットワーク設定変更システムであって、
要求元の端末は、設定変更要求を選択された代表端末に送信する手段を備え、
前記選択された代表端末は、前記設定変更要求を受信したならば、少なくとも過半数の代表端末に許可要求を送信する手段を備え、
前記選択された代表端末は、過半数の代表端末から、前記許可要求に対する許可通知を受信したならば、前記要求元の端末に、成功通知を送信する手段を備え、
前記要求元の端末は、前記成功通知を受信したならば、少なくとも設定変更の内容を含む実行通知を前記複数の端末に送信する手段を備え、
前記実行通知を受信した端末は、前記設定変更の内容に従って、設定変更をする手段を備えることを特徴とするネットワーク設定変更システム。
【請求項１０】
請求項９に記載のネットワーク設定変更システムであって、
前記実行通知は、変更実行時刻も含み、
前記実行通知を受信した端末は、前記変更実行時刻が到来したならば、前記設定変更をすることを特徴とするネットワーク設定変更システム。
【請求項１１】
請求項９又は１０に記載のネットワーク設定変更システムであって、
前記選択された代表端末は、過半数の代表端末から前記許可要求に対する許可通知を受信できないことを判断したならば、前記要求元の端末に失敗通知を送信する手段を備えることを特徴とするネットワーク設定変更システム。
【請求項１２】
請求項９乃至１１の何れか１に記載のネットワーク設定変更システムであって、
前記許可要求に対する前記許可通知を送信した代表端末は、許可可能状態フラグをリセットする手段を備え、
前記代表端末は、前記許可要求を受信した時に、前記許可可能状態フラグがリセットされている場合には、前記許可要求に対して不許可通知を許可通知の代わりに送信する手段を備えることを特徴とするネットワーク設定変更システム。
【請求項１３】
請求項１２に記載のネットワーク設定変更システムであって、
前記代表端末は、前記設定を実行したならば、前記許可可能状態フラグをセットする手段を備えることを特徴とするネットワーク設定変更システム。
【請求項１４】
請求項１２又は１３に記載のネットワーク設定変更システムであって、
前記選択された代表端末は、過半数の代表端末から、前記許可要求に対する許可通知を受信できないことを判断したならば、前記許可要求の送信先代表端末に解除通知を送信する手段を備え、
前記代表端末は、前記解除通知を受信したならば、前記許可通知状態フラグをセットする手段を備えることを特徴とするネットワーク設定変更システム。
【請求項１５】
請求項９乃至１４の何れか１に記載のネットワーク設定変更システムであって、
前記実行通知を受信した端末は、設定変更の内容通りの変更があると不都合が生ずると判断したならば、設定変更の前の設定の内容でもなく、設定変更の後の設定の内容でもない設定変更の内容を含む実行通知を送信するために、設定変更要求を送信する手段を備えることを特徴とするネットワーク設定変更システム。
【請求項１６】
請求項９乃至１５の何れか１に記載のネットワーク設定変更システムであって、
端末は、不都合な設定に関する情報を他の端末に送信する手段を備え、
前記不都合な設定に関する情報を受信した後に前記成功通知を受信した端末は、変更後の設定が前記不都合な設定に一致しないような設定変更の内容を含む実行通知を送信することを特徴とするネットワーク設定変更システム。
【請求項１７】
複数の端末が接続されるネットワークの設定を変更するためのネットワーク設定変更システムに含まれる要求元端末であって、
設定変更要求を選択された代表端末に送信する手段と、
前記選択された代表端末から前記成功通知を受信したならば、少なくとも設定変更の内容を含む実行通知を前記複数の端末に送信する手段と、
を備えることを特徴とする要求元端末。
【請求項１８】
請求項１７に記載の要求元端末であって、
他の端末から実行通知を受信し、該実行通知に含まれる設定変更の内容通りの変更があると不都合が生ずると判断したならば、前記他の端末から受信した実行通知による設定変更の前の設定の内容でもなく、前記他の端末から受信した実行通知による設定変更の後の設定の内容でもない設定変更の内容を含む実行通知を送信するために、設定変更要求を送信する手段を備えることを特徴とする要求元端末。
【請求項１９】
請求項１７又は１８に記載の要求元端末であって、
他の端末から不都合な設定に関する情報を受信した後に、前記選択された代表端末から前記成功通知を受信したならば、変更後の設定が前記不都合な設定に一致しないような設定変更の内容を含む実行通知を送信する手段を備えることを特徴とする要求元端末。
【請求項２０】
複数の端末が接続されるネットワークの設定を変更するためのネットワーク設定変更システムに含まれる選択された代表端末であって、
要求元の端末から、設定変更要求を受信する手段と、
前記設定変更要求を受信したならば、少なくとも過半数の代表端末に許可要求を送信する手段と、
過半数の代表端末から、前記許可要求に対する許可通知を受信したならば、前記要求元の端末に、成功通知を送信する手段と、
を備えることを特徴とする選択された代表端末。
【請求項２１】
請求項２０に記載の選択された代表端末であって、
過半数の代表端末から前記許可要求に対する許可通知を受信できないことを判断したならば、前記要求元の端末に失敗通知を送信する手段を備えることを特徴とする選択された代表端末。
【請求項２２】
請求項２０又は２１に記載の選択された代表端末であって、
前過半数の代表端末から前記許可要求に対する許可通知を受信できないことを判断したならば、前記許可要求の送信先代表端末に解除通知を送信する手段を備えることを特徴とする選択された代表端末。
【請求項２３】
複数の端末が接続されるネットワークの設定を変更するためのネットワーク設定変更システムに含まれる代表端末であって、
選択された代表端末から許可要求を受信する手段と、
前記許可要求に対する許可通知を前記選択された代表端末に送信する手段と、
前記許可要求に対する前記許可通知を送信したならば、許可可能状態フラグをリセットする手段と、
前記許可要求を受信した時に、前記許可可能状態フラグがリセットされている場合には、前記許可要求に対して不許可通知を許可通知の代わりに送信する手段と、
を備えることを特徴とする代表端末。
【請求項２４】
請求項２３に記載の代表端末であって、
要求元端末から受信した実行通知に従って設定を実行したならば、前記許可可能状態フラグをセットする手段を備えることを特徴とする代表端末。
【請求項２５】
請求項２３又は２４に記載の代表端末であって、
前記選択された代表端末から解除通知を受信したならば、前記許可通知状態フラグをセットする手段を備えることを特徴とする代表端末。
【請求項２６】
複数の端末が接続されるネットワークの設定を変更するためのネットワーク設定変更システムに含まれる要求元端末としてコンピュータを機能させるためのプログラムであって、
前記コンピュータを、
設定変更要求を選択された代表端末に送信する手段と、
前記選択された代表端末から前記成功通知を受信したならば、少なくとも設定変更の内容を含む実行通知を前記複数の端末に送信する手段と、
として機能させるためのプログラム。
【請求項２７】
請求項２６に記載のプログラムであって、
コンピュータを、更に、
他の端末から実行通知を受信し、該実行通知に含まれる設定変更の内容通りの変更があると不都合が生ずると判断したならば、前記他の端末から受信した実行通知による設定変更の前の設定の内容でもなく、前記他の端末から受信した実行通知による設定変更の後の設定の内容でもない設定変更の内容を含む実行通知を送信するために、設定変更要求を送信する手段として機能させるためのプログラム。
【請求項２８】
請求項２６又は２７に記載のプログラムであって、
コンピュータを、更に、
他の端末から不都合な設定に関する情報を受信した後に、前記選択された代表端末から前記成功通知を受信したならば、変更後の設定が前記不都合な設定に一致しないような設定変更の内容を含む実行通知を送信する手段として機能させるためのプログラム。
【請求項２９】
複数の端末が接続されるネットワークの設定を変更するためのネットワーク設定変更システムに含まれる選択された代表端末としてコンピュータを機能させるためのプログラムであって、
コンピュータを、
要求元の端末から、設定変更要求を受信する手段と、
前記設定変更要求を受信したならば、少なくとも過半数の代表端末に許可要求を送信する手段と、
過半数の代表端末から、前記許可要求に対する許可通知を受信したならば、前記要求元の端末に、成功通知を送信する手段と、
として機能させるためのプログラム。
【請求項３０】
請求項２９に記載のプログラムであって、
コンピュータを、更に、
過半数の代表端末から前記許可要求に対する許可通知を受信できないことを判断したならば、前記要求元の端末に失敗通知を送信する手段として機能させるためのプログラム。
【請求項３１】
請求項２９又は３０に記載のプログラムであって、
コンピュータを、更に、
前過半数の代表端末から前記許可要求に対する許可通知を受信できないことを判断したならば、前記許可要求の送信先代表端末に解除通知を送信する手段として機能させるためのプログラム。
【請求項３２】
複数の端末が接続されるネットワークの設定を変更するためのネットワーク設定変更システムに含まれる代表端末としてコンピュータを機能させるためのプログラムであって、
コンピュータを、
選択された代表端末から許可要求を受信する手段と、
前記許可要求に対する許可通知を前記選択された代表端末に送信する手段と、
前記許可要求に対する前記許可通知を送信したならば、許可可能状態フラグをリセットする手段と、
前記許可要求を受信した時に、前記許可可能状態フラグがリセットされている場合には、前記許可要求に対して不許可通知を許可通知の代わりに送信する手段と、
として機能させるためのプログラム。
【請求項３３】
請求項３２に記載のプログラムであって、
コンピュータを、更に、
要求元端末から受信した実行通知に従って設定を実行したならば、前記許可可能状態フラグをセットする手段として機能させるためのプログラム。
【請求項３４】
請求項３２又は３３に記載のプログラムであって、
コンピュータを、更に、
前記選択された代表端末から解除通知を受信したならば、前記許可通知状態フラグをセットする手段として機能させるためのプログラム。
【発明の詳細な説明】
【技術分野】
【０００１】
本発明は、ネットワークの設定を変更するためのネットワーク設定変更方法及びそのシステム並びにそのシステムで用いられる端末に関する。
【背景技術】
【０００２】
周波数や無線変調方式、アクセス方式などのネットワーク設定を各端末において動的に変更することが想定されているコグニティブネットワークにおいては、各端末が望ましいネットワーク設定を決定する機構を備えている必要がある。これは例えばコグニティブパイロットチャネルと呼ばれる、全ての端末で共有される特定の無線チャネルにより提供される情報を各端末が受信し、これに基づき自身のネットワーク設定を決定するような機構により実現される。【０００３】
コグニティブパイロットチャネルへのアクセスを行わずに、無線方式を変更する方法が特許文献１に開示されている。ここでは、既存方式の無線フレームの一部に、他の方式の無線システムの利用可能性の情報を含め、これを受信した端末は複数の無線システムから利用するシステムを選択できるようになっている。
【先行技術文献】
【特許文献】
【０００４】
【特許文献１】特開２０１０−２２０２１０公報
【特許文献２】特開２００７−１８９４３３公報
【特許文献３】特開２００９−２０６９３３公報
【特許文献４】特開２０１０−２７３３４１公報
【発明の概要】
【発明が解決しようとする課題】
【０００５】
しかしながら、いずれの方法も基地局からの情報に基づき端末が設定を判定するものであり、特定の基地局に依存しないアドホックネットワークには適用できない。アドホックネットワークにおいて、経路制御等を自動化する方法は、例えばIETF標準化提案文書”draft-ietf-manet-olsrv2-11”にて開示されているが、周波数や無線変調方式、アクセス方式などの、網内の全端末が同一の選択を行う必要がある項目の設定の変更の自動化には適用できない。【０００６】
本発明は、周波数や無線変調方式、アクセス方式などの、網内の全端末が同一の選択を行う必要がある項目（以下、ネットワーク設定項目と呼ぶ）の設定の変更の自動化を、特定の基地局を有さないアドホックネットワーク上で実現するためのネットワーク設定変更方法及びそのシステム並びにそのシステムで用いられる端末を提供することを目的とする。
【課題を解決するための手段】
【０００７】
本発明の第１の観点によれば、複数の端末が接続されるネットワークの設定を変更するためのネットワーク設定変更方法であって、要求元の端末が、設定変更要求を選択された代表端末に送信するステップと、前記選択された代表端末が、前記設定変更要求を受信したならば、少なくとも過半数の代表端末に許可要求を送信するステップと、前記選択された代表端末が、過半数の代表端末から、前記許可要求に対する許可通知を受信したならば、前記要求元の端末に、成功通知を送信するステップと、前記要求元の端末が、前記成功通知を受信したならば、少なくとも設定変更の内容を含む実行通知を前記複数の端末に送信するステップと、前記実行通知を受信した端末が、前記設定変更の内容に従って、設定変更をするステップと、を有することを特徴とするネットワーク設定変更方法が提供される。【０００８】
本発明の第２の観点によれば、複数の端末が接続されるネットワークの設定を変更するためのネットワーク設定変更システムであって、要求元の端末は、設定変更要求を選択された代表端末に送信する手段を備え、前記選択された代表端末は、前記設定変更要求を受信したならば、少なくとも過半数の代表端末に許可要求を送信する手段を備え、前記選択された代表端末は、過半数の代表端末から、前記許可要求に対する許可通知を受信したならば、前記要求元の端末に、成功通知を送信する手段を備え、前記要求元の端末は、前記成功通知を受信したならば、少なくとも設定変更の内容を含む実行通知を前記複数の端末に送信する手段を備え、前記実行通知を受信した端末は、前記設定変更の内容に従って、設定変更をする手段を備えることを特徴とするネットワーク設定変更システムが提供される。
【発明の効果】
【０００９】
本発明によれば、周波数や無線変調方式、アクセス方式などの、網内の全端末が同一の選択を行う必要がある項目（以下、ネットワーク設定項目と呼ぶ）の設定の変更の自動化を、特定の基地局を有さないアドホックネットワーク上で実現することができる。
【図面の簡単な説明】
【００１０】
【図１】本発明の実施形態によるネットワークに含まれる端末を示した概念図である。
【図２】本発明の実施形態による端末の内部構成を示すブロック図である。
【図３】本発明の実施形態によるネットワーク設定方法を説明するためのフローチャート（１／３）である。
【図４】本発明の実施形態によるネットワーク設定方法を説明するためのフローチャート（２／３）である。
【図５】本発明の実施形態によるネットワーク設定方法を説明するためのフローチャート（３／３）である。
【図６】本発明の実施形態による代表端末の動作を説明するためのフローチャートである。
【図７】本発明の実施形態による代表端末で利用される許可可能状態フラグの変化を示すタイミング図である。
【符号の説明】
【００１１】
１０１−１、１０１−２、・・・、１０１−Ｍ  代表端末でない端末
１０３−１、１０３−２、・・・、１０３−Ｎ  代表端末
１５１  アンテナ
１５３  サーキュレータ
１５５  受信部
１５７  送信部
１５９  データ／音声／画像処理部
１６１  記憶部
１６３  インターフェース部
【発明を実施するための形態】
【００１２】
以下、図面を参照して本発明を実施するための形態について詳細に説明する。
【００１３】
本実施形態では、端末の一部を代表端末として選出する。各端末は他の端末とは独立してネットワーク設定項目の設定変更の必要性を検出し、これを検出すると、いずれかの代表端末に対しネットワーク設定項目の変更権を要求する。要求を受けた代表端末は他の代表端末に要求を転送し、過半数の代表端末から許可を得た場合に要求元端末に許可を通知する。許可通知を得た端末はネットワーク設定項目の変更内容とその有効化時刻を全ての端末に通知する。
【００１４】
端末の一部を代表端末として選出するための方法としては、例えばIETF標準化提案文書”draft-ietf-manet-olsrv2-11”に示されるように、Multi Point Relay (MPR)として選出された端末を代表端末とする方法を採用することができる。この場合、アドホックネットワーク自体の制御は”draft-ietf-manet-olsrv2-11”に示される方法で行われていることが前提となる。
【００１５】
上記のように代表端末を選択し、各代表端末は図１のようなフローチャートに従った動作を行うものとする。
【００１６】
［実施形態１］
図１を参照すると、符号１０１−１、１０１−２、・・・、１０１−Ｍで示すのは、代表端末でない端末である。符号１０３−１、１０３−２、・・・、１０３−Ｎで示すのは、代表端末である。
【００１７】
図２を参照すると、代表端末でない端末及び代表端末は、アンテナ１５１、サーキュレータ１５３、受信部１５５、送信部１５７、データ／音声／画像処理部１５９、記憶部１６１及びインターフェース部１６３を含む。
【００１８】
アンテナ１５１は、サーキュレータ１５３から入力した信号を電波として送信し、また、受信した電波を信号としてサーキュレータ１５３に出力する。サーキュレータ１５３は、アンテナ１５１から入力した信号を受信部１５５に出力し、送信部１５７から入力した信号をアンテナ１５１に出力する。受信部１５５は、サーキュレータ１５３から入力した信号に対して、周波数変換、復調等を行ない、データ、音声又は画像を表す信号をデータ／音声／画像処理部１５９に出力する。送信部１５７は、データ／音声又は画像を表す信号をデータ／音声／画像処理部１５９から入力し、入力した信号に対して、変調、周波数変換等を行ない、サーキュレータ１５３に出力する。データ／音声／画像処理部１５９は、データを表す信号については、データ処理を行ない、音声信号については音声処理（音声符号化及び音声復号等）を行ない、画像信号については、画像処理（画像符号化及び画像復号等）を行なう。インターフェース部１６３は、ユーザインターフェース（マイク、スピーカ、画像表示部、入力キー等）及び外部機器インターフェース等を含む。記憶部１６１は、受信部１５５、送信部１５７、データ／音声／画像処理部１５９からデータの読み書きが可能である。特に、記憶部１６１は、データ／音声／画像処理部１５９で設定したネットワーク設定項目を記憶し、これが受信部１５５、送信部１５７により読み出され、利用される。
【００１９】
各端末１０１−１、１０１−２、・・・、１０１−Ｍ、１０３−１、１０３−２、・・・、１０３−Ｎは、自端末の無線環境測定結果等に基づき、ネットワーク設定の変更の必要性を決定する。例えば、現状使用している周波数で干渉電波を検知したら、他の周波数への変更の必要性を検出したことになる。このような変更の必要性を検出した端末１０１−ｉ（ｉは１以上且つＭ以下の整数）又は１０３−ｊ（ｊは１以上且つＮ以下の整数）は、任意の代表端末１０３−ｋ（ｋは１以上且つＮ以下の整数）を選択し、選択した代表端末１０３−ｋに設定変更要求を送信する（図３のステップＳ２０１）。ここで、変更の必要性を検出した端末１０３−ｊは、自端末に設定変更要求を出してもよい。
【００２０】
これを受信した代表端末１０３−ｋは、他の代表端末１０３−ｐ（ｋ≠ｐ、ｐは１以上且つＮ以下の整数）のうち、少なくとも過半数の代表端末に、ネットワーク設定の変更権保有の許可要求を送信する（図３のステップＳ２０３）。ここで、代表端末１０３−ｋ自身にも許可要求を出せば、これを送信とみなし、代表端末１０３−ｋを含め、許可要求の送信先の代表端末数が過半数以上であればよい。その後、代表端末１０３−ｋは、許可待ちタイマーを所定値にセットして、タイマーを起動する（図３のステップＳ２０５）。
【００２１】
送信した許可要求に対し過半数の代表端末から許可通知を得たら（図４のステップＳ２１１）、許可要求は成功であり、設定変更要求の送信元端末１０１−ｉ又は１０３−ｊは変更権を取得することができる。
【００２２】
そこで、この代表端末１０３−ｋは設定変更要求の送信元の端末１０１−ｉ又は１０３−ｊに成功通知を送信する（図４のステップＳ２１３）。成功通知を受けた端末１０１−ｉ又は１０３−ｊは、代表端末を含む全ての端末１０１−１、１０１−２、・・・、１０１−Ｍ、１０３−１、１０３−２、・・・、１０３−Ｎに対し設定変更の内容とその変更実行時刻、また設定変更が必要となった原因に関する障害情報を含む実行通知を送信する（図４のステップＳ２１５）。なお、端末１０１−ｉ又は１０３−ｊは、自端末にも実行通知を出す。変更実行時刻が到来したならば、端末１０１−１、１０１−２、・・・、１０１−Ｍ、１０３−１、１０３−２、・・・、１０３−Ｎは、設定変更の内容に従って設定変更を実行する（図４のステップＳ２１７）。
【００２３】
一方、許可要求を送信した代表端末１０３−ｋが、過半数の代表端末からの許可取得が不可能と判定できる数（すなわち、送信した許可要求の数から代表端末の過半数の最低値を減じて得た数を超える数）の不許可通知を受信するか、又は、許可待ちタイマーがタイムアウトしたら（図５のステップＳ２２１）、変更権の取得に失敗と判定し、許可要求の送信先代表端末に解除通知を送信し（ステップＳ２２３）、更に、設定変更要求の送信元の端末１０１−ｉに失敗通知を送信する（図５のステップＳ２２５）。
【００２４】
また、代表端末１０３−ｋから許可要求を受信した代表端末１０３−ｐは、（１）既に代表端末１０３−ｋに許可通知を送信したか、（２）実行通知を受信済みであり、実行時刻が到来する前であれば、不許可通知を代表端末１０３−ｋに返送する。そうでなければ、許可通知を返送する。
【００２５】
上記段落の代表端末１０３−ｐの動作を更に説明すると、実行通知を受信したら（図６のステップＳ２３１）、実行時刻が到来するまで待ち（図６のステップＳ２３３のループ）、実行時刻が到来したら（図６のステップＳ２３３でＹＥＳ）、許可可能状態フラグをセットする（図６のステップＳ２３５）。また、解除通知を受信したならば（図６のステップＳ２４１）、許可可能状態フラグをセットする（図６のステップＳ２４３）。更に、許可要求を受信したならば（図６のステップＳ２５１）、許可可能状態フラグがセットされているか否かを判断する（図６のステップＳ２５３）。セットされていれば（図６のステップＳ２５３でＹＥＳ）、許可要求の送信元代表端末１０３−ｋに許可通知を送信した上で（図６のステップＳ２５５）、許可可能状態フラグをリセットする（図６のステップＳ２５７）。リセットされていれば（図６のステップＳ２５３でＮＯ）、許可要求の送信元代表端末１０３−ｋに不許可通知を送信する（ステップＳ２５９）。
【００２６】
図７（ａ）を参照すると、代表端末１０３−ｐは、許可要求を受信した時に（ステップＳ２５１）、許可可能状態フラグがセットされているならば（ステップＳ２５３でＹＥＳ）、許可通知を送信すると共に（ステップＳ２５５）、許可可能状態フラグをリセットする（ステップＳ２５７）。その後、実行通知を受信し（ステップＳ２３１）、実行時刻が到来したならば（ステップＳ２３３でＹＥＳ）、許可可能状態フラグをセットする（ステップＳ２３５）。
【００２７】
図７（ｂ）を参照すると、代表端末１０３−ｐは、許可要求を受信した時に（ステップＳ２５１）、許可可能状態フラグがセットされているならば（ステップＳ２５３でＹＥＳ）、許可通知を送信すると共に（ステップＳ２５５）、許可可能状態フラグをリセットする（ステップＳ２５７）。その後、解除通知を受信したならば（ステップＳ２４１）、許可可能状態フラグをセットする（ステップＳ２４３）。
【００２８】
図７（ｃ）を参照すると、代表端末１０３−ｐは、許可要求を受信した時に（ステップＳ２５１）、許可可能状態フラグがリセットされているならば（ステップＳ２５３でＮＯ）、不許可通知を送信する（ステップＳ２５９）。その後、実行通知を受信し（ステップＳ２３１）、実行時刻が到来したならば（ステップＳ２３３でＹＥＳ）、設定変更を実行し（ステップＳ２３５）、許可可能状態フラグをセットする（ステップＳ２３７）。
【００２９】
図７（ｄ）を参照すると、代表端末１０３−ｐは、許可要求を受信した時に（ステップＳ２５１）、許可可能状態フラグがリセットされているならば（ステップＳ２５３でＮＯ）、不許可通知を送信する（ステップＳ２５９）。その後、解除通知を受信したならば（ステップＳ２４１）、許可可能状態フラグをセットする（ステップＳ２４３）。
【００３０】
以上のような動作により、複数の端末が変更権を取得することを回避できる。各代表端末は許可を１つの端末にしか返送せず、複数の代表端末が過半数の代表端末からの許可を得ることは不可能なためである。
【００３１】
また、変更実行時刻を全端末に通知することで、全端末が同時に設定変更することが可能であり、したがってネットワークが不通となる時間の発生を回避できる。
【００３２】
結果として、複数の端末が異なるネットワーク設定変更要求を発動した場合に、いずれか１つの端末による設定変更だけが実行されることになる。
【００３３】
実行通知を受けた端末が、実行通知に記述されている設定変更の内容通りに変更があると不都合が生ずることを判断したならば、設定変更の前の設定の内容でもなく、設定変更の後の設定の内容でもない設定変更の内容を含む実行通知を送信するために、設定変更要求を出すようにすることにより、最初に設定変更要求を出した端末にとっても、後に設定変更要求を出した端末にとっても不都合がない設定変更をすることが可能となる。
【００３４】
［実施形態２］
実施形態１のネットワークにおいて、以下の機能を追加する。まず、現状障害が発生してはいないが、設定変更の際に選択されると不都合となる設定の情報を検出した各端末が、このような不都合な設定に関する情報（不都合設定情報）を全端末に通知する。各端末は、実行通知を生成する際に、変更後の設定を、共有されているいかなる不都合な設定とも一致しないように選択する。このようにすることで、設定変更が他の端末にとっての不都合を誘起することが回避できる。
【００３５】
なお、上記の各端末は、ハードウェア、ソフトウェア又はこれらの組合わせにより実現することができる。また、上記の各端末により行なわれるネットワーク設定項目変更方法も、ハードウェア、ソフトウェア又はこれらに組合わせにより実現することができる。ここで、ソフトウェアによって実現されるとは、コンピュータがプログラムを読み込んで実行することにより実現されることを意味する。
【００３６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３７】
上記の実施形態の一部又は全部は、以下の付記のようにも記載されうるが、以下には限られない。
【００３８】
（付記１）
複数の端末が接続されるネットワークの設定を変更するためのネットワーク設定変更方法であって、
要求元の端末が、設定変更要求を選択された代表端末に送信するステップと、
前記選択された代表端末が、前記設定変更要求を受信したならば、少なくとも過半数の代表端末に許可要求を送信するステップと、
前記選択された代表端末が、過半数の代表端末から、前記許可要求に対する許可通知を受信したならば、前記要求元の端末に、成功通知を送信するステップと、
前記要求元の端末が、前記成功通知を受信したならば、少なくとも設定変更の内容を含む実行通知を前記複数の端末に送信するステップと、
前記実行通知を受信した端末が、前記設定変更の内容に従って、設定変更をするステップと、
を有することを特徴とするネットワーク設定変更方法。
【００３９】
（付記２）
付記１に記載のネットワーク設定変更方法であって、
前記実行通知は、変更実行時刻も含み、
前記実行通知を受信した端末は、前記変更実行時刻が到来したならば、前記設定変更をするステップを実行することを特徴とするネットワーク設定変更方法。
【００４０】
（付記３）
付記１又は２に記載のネットワーク設定変更方法であって、
前記選択された代表端末が、過半数の代表端末から前記許可要求に対する許可通知を受信できないことを判断したならば、前記要求元の端末に失敗通知を送信するステップを更に有することを特徴とするネットワーク設定変更方法。
【００４１】
（付記４）
付記１乃至３の何れか１に記載のネットワーク設定変更方法であって、
前記許可要求に対する前記許可通知を送信した代表端末が、許可可能状態フラグをリセットするステップと、
前記代表端末が、前記許可要求を受信した時に、前記許可可能状態フラグがリセットされている場合には、前記許可要求に対して不許可通知を許可通知の代わりに送信するステップと、
を更に有することを特徴とするネットワーク設定変更方法。
【００４２】
（付記５）
付記４に記載のネットワーク設定変更方法であって、
前記代表端末が、前記設定を実行したならば、前記許可可能状態フラグをセットするステップを更に有することを特徴とするネットワーク設定変更方法。
【００４３】
（付記６）
付記４又は５に記載のネットワーク設定変更方法であって、
前記選択された代表端末が、過半数の代表端末から、前記許可要求に対する許可通知を受信できないことを判断したならば、前記許可要求の送信先代表端末に解除通知を送信するステップと、
前記代表端末が、前記解除通知を受信したならば、前記許可通知状態フラグをセットするステップを更に有することを特徴とするネットワーク設定変更方法。
【００４４】
（付記７）
付記１乃至６の何れか１に記載のネットワーク設定変更方法であって、
前記実行通知を受信した端末が、設定変更の内容通りの変更があると不都合が生ずると判断したならば、設定変更の前の設定の内容でもなく、設定変更の後の設定の内容でもない設定変更の内容を含む実行通知を送信するために、設定変更要求を送信するステップを更に有することを特徴とするネットワーク設定変更方法。
【００４５】
（付記８）
付記１乃至７の何れか１に記載のネットワーク設定変更方法であって、
端末が不都合な設定に関する情報を他の端末に送信するステップを更に備え、
前記不都合な設定に関する情報を受信した後に前記成功通知を受信した端末は、変更後の設定が前記不都合な設定に一致しないような設定変更の内容を含む実行通知を送信することを特徴とするネットワーク設定変更方法。
【００４６】
（付記９）
複数の端末が接続されるネットワークの設定を変更するためのネットワーク設定変更システムであって、
要求元の端末は、設定変更要求を選択された代表端末に送信する手段を備え、
前記選択された代表端末は、前記設定変更要求を受信したならば、少なくとも過半数の代表端末に許可要求を送信する手段を備え、
前記選択された代表端末は、過半数の代表端末から、前記許可要求に対する許可通知を受信したならば、前記要求元の端末に、成功通知を送信する手段を備え、
前記要求元の端末は、前記成功通知を受信したならば、少なくとも設定変更の内容を含む実行通知を前記複数の端末に送信する手段を備え、
前記実行通知を受信した端末は、前記設定変更の内容に従って、設定変更をする手段を備えることを特徴とするネットワーク設定変更システム。
【００４７】
（付記１０）
付記９に記載のネットワーク設定変更システムであって、
前記実行通知は、変更実行時刻も含み、
前記実行通知を受信した端末は、前記変更実行時刻が到来したならば、前記設定変更をすることを特徴とするネットワーク設定変更システム。
【００４８】
（付記１１）
付記９又は１０に記載のネットワーク設定変更システムであって、
前記選択された代表端末は、過半数の代表端末から前記許可要求に対する許可通知を受信できないことを判断したならば、前記要求元の端末に失敗通知を送信する手段を備えることを特徴とするネットワーク設定変更システム。
【００４９】
（付記１２）
付記９乃至１１の何れか１に記載のネットワーク設定変更システムであって、
前記許可要求に対する前記許可通知を送信した代表端末は、許可可能状態フラグをリセットする手段を備え、
前記代表端末は、前記許可要求を受信した時に、前記許可可能状態フラグがリセットされている場合には、前記許可要求に対して不許可通知を許可通知の代わりに送信する手段を備えることを特徴とするネットワーク設定変更システム。
【００５０】
（付記１３）
付記１２に記載のネットワーク設定変更システムであって、
前記代表端末は、前記設定を実行したならば、前記許可可能状態フラグをセットする手段を備えることを特徴とするネットワーク設定変更システム。
【００５１】
（付記１４）
付記１２又は１３に記載のネットワーク設定変更システムであって、
前記選択された代表端末は、過半数の代表端末から、前記許可要求に対する許可通知を受信できないことを判断したならば、前記許可要求の送信先代表端末に解除通知を送信する手段を備え、
前記代表端末は、前記解除通知を受信したならば、前記許可通知状態フラグをセットする手段を備えることを特徴とするネットワーク設定変更システム。
【００５２】
（付記１５）
付記９乃至１４の何れか１に記載のネットワーク設定変更システムであって、
前記実行通知を受信した端末は、設定変更の内容通りの変更があると不都合が生ずると判断したならば、設定変更の前の設定の内容でもなく、設定変更の後の設定の内容でもない設定変更の内容を含む実行通知を送信するために、設定変更要求を送信する手段を備えることを特徴とするネットワーク設定変更システム。
【００５３】
（付記１６）
付記９乃至１５の何れか１に記載のネットワーク設定変更システムであって、
端末は、不都合な設定に関する情報を他の端末に送信する手段を備え、
前記不都合な設定に関する情報を受信した後に前記成功通知を受信した端末は、変更後の設定が前記不都合な設定に一致しないような設定変更の内容を含む実行通知を送信することを特徴とするネットワーク設定変更システム。
【００５４】
（付記１７）
複数の端末が接続されるネットワークの設定を変更するためのネットワーク設定変更システムに含まれる要求元端末であって、
設定変更要求を選択された代表端末に送信する手段と、
前記選択された代表端末から前記成功通知を受信したならば、少なくとも設定変更の内容を含む実行通知を前記複数の端末に送信する手段と、
を備えることを特徴とする要求元端末。
【００５５】
（付記１８）
付記１７に記載の要求元端末であって、
他の端末から実行通知を受信し、該実行通知に含まれる設定変更の内容通りの変更があると不都合が生ずると判断したならば、前記他の端末から受信した実行通知による設定変更の前の設定の内容でもなく、前記他の端末から受信した実行通知による設定変更の後の設定の内容でもない設定変更の内容を含む実行通知を送信するために、設定変更要求を送信する手段を備えることを特徴とする要求元端末。
【００５６】
（付記１９）
付記１７又は１８に記載の要求元端末であって、
他の端末から不都合な設定に関する情報を受信した後に、前記選択された代表端末から前記成功通知を受信したならば、変更後の設定が前記不都合な設定に一致しないような設定変更の内容を含む実行通知を送信する手段を備えることを特徴とする要求元端末。
【００５７】
（付記２０）
複数の端末が接続されるネットワークの設定を変更するためのネットワーク設定変更システムに含まれる選択された代表端末であって、
要求元の端末から、設定変更要求を受信する手段と、
前記設定変更要求を受信したならば、少なくとも過半数の代表端末に許可要求を送信する手段と、
過半数の代表端末から、前記許可要求に対する許可通知を受信したならば、前記要求元の端末に、成功通知を送信する手段と、
を備えることを特徴とする選択された代表端末。
【００５８】
（付記２１）
付記２０に記載の選択された代表端末であって、
過半数の代表端末から前記許可要求に対する許可通知を受信できないことを判断したならば、前記要求元の端末に失敗通知を送信する手段を備えることを特徴とする選択された代表端末。
【００５９】
（付記２２）
付記２０又は２１に記載の選択された代表端末であって、
前過半数の代表端末から前記許可要求に対する許可通知を受信できないことを判断したならば、前記許可要求の送信先代表端末に解除通知を送信する手段を備えることを特徴とする選択された代表端末。
【００６０】
（付記２３）
複数の端末が接続されるネットワークの設定を変更するためのネットワーク設定変更システムに含まれる代表端末であって、
選択された代表端末から許可要求を受信する手段と、
前記許可要求に対する許可通知を前記選択された代表端末に送信する手段と、
前記許可要求に対する前記許可通知を送信したならば、許可可能状態フラグをリセットする手段と、
前記許可要求を受信した時に、前記許可可能状態フラグがリセットされている場合には、前記許可要求に対して不許可通知を許可通知の代わりに送信する手段と、
を備えることを特徴とする代表端末。
【００６１】
（付記２４）
付記２３に記載の代表端末であって、
要求元端末から受信した実行通知に従って設定を実行したならば、前記許可可能状態フラグをセットする手段を備えることを特徴とする代表端末。
【００６２】
（付記２５）
付記２３又は２４に記載の代表端末であって、
前記選択された代表端末から解除通知を受信したならば、前記許可通知状態フラグをセットする手段を備えることを特徴とする代表端末。
【００６３】
（付記２６）
複数の端末が接続されるネットワークの設定を変更するためのネットワーク設定変更システムに含まれる要求元端末としてコンピュータを機能させるためのプログラムであって、
前記コンピュータを、
設定変更要求を選択された代表端末に送信する手段と、
前記選択された代表端末から前記成功通知を受信したならば、少なくとも設定変更の内容を含む実行通知を前記複数の端末に送信する手段と、
として機能させるためのプログラム。
【００６４】
（付記２７）
付記２６に記載のプログラムであって、
コンピュータを、更に、
他の端末から実行通知を受信し、該実行通知に含まれる設定変更の内容通りの変更があると不都合が生ずると判断したならば、前記他の端末から受信した実行通知による設定変更の前の設定の内容でもなく、前記他の端末から受信した実行通知による設定変更の後の設定の内容でもない設定変更の内容を含む実行通知を送信するために、設定変更要求を送信する手段として機能させるためのプログラム。
【００６５】
（付記２８）
付記２６又は２７に記載のプログラムであって、
コンピュータを、更に、
他の端末から不都合な設定に関する情報を受信した後に、前記選択された代表端末から前記成功通知を受信したならば、変更後の設定が前記不都合な設定に一致しないような設定変更の内容を含む実行通知を送信する手段として機能させるためのプログラム。
【００６６】
（付記２９）
複数の端末が接続されるネットワークの設定を変更するためのネットワーク設定変更システムに含まれる選択された代表端末としてコンピュータを機能させるためのプログラムであって、
コンピュータを、
要求元の端末から、設定変更要求を受信する手段と、
前記設定変更要求を受信したならば、少なくとも過半数の代表端末に許可要求を送信する手段と、
過半数の代表端末から、前記許可要求に対する許可通知を受信したならば、前記要求元の端末に、成功通知を送信する手段と、
として機能させるためのプログラム。
【００６７】
（付記３０）
付記２９に記載のプログラムであって、
コンピュータを、更に、
過半数の代表端末から前記許可要求に対する許可通知を受信できないことを判断したならば、前記要求元の端末に失敗通知を送信する手段として機能させるためのプログラム。
【００６８】
（付記３１）
付記２９又は３０に記載のプログラムであって、
コンピュータを、更に、
前過半数の代表端末から前記許可要求に対する許可通知を受信できないことを判断したならば、前記許可要求の送信先代表端末に解除通知を送信する手段として機能させるためのプログラム。
【００６９】
（付記３２）
複数の端末が接続されるネットワークの設定を変更するためのネットワーク設定変更システムに含まれる代表端末としてコンピュータを機能させるためのプログラムであって、
コンピュータを、
選択された代表端末から許可要求を受信する手段と、
前記許可要求に対する許可通知を前記選択された代表端末に送信する手段と、
前記許可要求に対する前記許可通知を送信したならば、許可可能状態フラグをリセットする手段と、
前記許可要求を受信した時に、前記許可可能状態フラグがリセットされている場合には、前記許可要求に対して不許可通知を許可通知の代わりに送信する手段と、
として機能させるためのプログラム。
【００７０】
（付記３３）
付記３２に記載のプログラムであって、
コンピュータを、更に、
要求元端末から受信した実行通知に従って設定を実行したならば、前記許可可能状態フラグをセットする手段として機能させるためのプログラム。
【００７１】
（付記３４）
付記３２又は３３に記載のプログラムであって、
コンピュータを、更に、
前記選択された代表端末から解除通知を受信したならば、前記許可通知状態フラグをセットする手段として機能させるためのプログラム。
【００７２】
本願は、日本の特願２０１１―１１７９７４（２０１１年５月２６日に出願）に基づいたものであり、又、特願２０１１−１１７９７４に基づくパリ条約の優先権を主張するものである。特願２０１１−１１７９７４の開示内容は、特願２０１１−１１７９４を参照することにより本明細書に援用される。
【００７３】
本発明の代表的な実施形態が詳細に述べられたが、様々な変更（changes）、置き換え（substitutions）及び選択（alternatives）が請求項で定義された発明の精神と範囲から逸脱することなくなされることが理解されるべきである。また、仮にクレームが出願手続において補正されたとしても、クレームされた発明の均等の範囲は維持されるものと発明者は意図する。
【産業上の利用可能性】
【００７４】
本発明のネットワーク設定変更方法及びそのシステム並びにそのシステムで用いられる端末は、ネットワーク設定項目の設定の変更の自動化を、特定の基地局を有さないアドホックネットワーク上で実現できるので、産業上有用である。
【図１】
2012161300.tif 000003
【図２】
2012161300.tif 000004
【図３】
2012161300.tif 000005
【図４】
2012161300.tif 000006
【図５】
2012161300.tif 000007
【図６】
2012161300.tif 000008
【図７】
2012161300.tif 000009
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
複数の端末が接続されるネットワークの設定を変更するためのネットワーク設定変更方法であって、
要求元の端末が、設定変更要求を選択された代表端末に送信するステップと、
前記選択された代表端末が、前記設定変更要求を受信したならば、少なくとも過半数の代表端末に許可要求を送信するステップと、
前記選択された代表端末が、過半数の代表端末から、前記許可要求に対する許可通知を受信したならば、前記要求元の端末に、成功通知を送信するステップと、
前記要求元の端末が、前記成功通知を受信したならば、少なくとも設定変更の内容を含む実行指示を前記複数の端末に送信するステップと、
前記実行指示を受信した端末が、前記設定変更の内容に従って、設定変更をするステップと、
を有することを特徴とするネットワーク設定変更方法。
【請求項２】
請求項１に記載のネットワーク設定変更方法であって、
前記選択された代表端末が、過半数の代表端末から前記許可要求に対する許可通知を受信できないことを判断したならば、前記要求元の端末に失敗通知を送信するステップを更に有することを特徴とするネットワーク設定変更方法。
【請求項３】
請求項１又は２に記載のネットワーク設定変更方法であって、
前記許可要求に対する前記許可通知を送信した代表端末が、許可可能状態フラグをリセットするステップと、
前記代表端末が、前記許可要求を受信した時に、前記許可可能状態フラグがリセットされている場合には、前記許可要求に対して不許可通知を許可通知の代わりに送信するステップと、
を更に有することを特徴とするネットワーク設定変更方法。
【請求項４】
請求項３に記載のネットワーク設定変更方法であって、
前記選択された代表端末が、過半数の代表端末から、前記許可要求に対する許可通知を受信できないことを判断したならば、前記許可要求の送信先代表端末に解除通知を送信するステップと、
前記代表端末が、前記解除通知を受信したならば、前記許可通知状態フラグをセットするステップを更に有することを特徴とするネットワーク設定変更方法。
【請求項５】
請求項１乃至４の何れか１に記載のネットワーク設定変更方法であって、
前記実行指示を受信した端末が、設定変更の内容通りの変更があると不都合が生ずると判断したならば、受信した前記実行指示通りの設定変更の前でもなく後でもない設定の内容に対応した設定変更の内容を含む実行指示を送信するために、設定変更要求を送信するステップを更に有することを特徴とするネットワーク設定変更方法。
【請求項６】
請求項１乃至５の何れか１に記載のネットワーク設定変更方法であって、
端末が不都合な設定に関する情報を他の端末に送信するステップを更に備え、
前記不都合な設定に関する情報を受信した後に前記成功通知を受信した端末は、変更後の設定が前記不都合な設定に一致しないような設定変更の内容を含む実行指示を送信することを特徴とするネットワーク設定変更方法。
【請求項７】
複数の端末が接続されるネットワークの設定を変更するためのネットワーク設定変更システムであって、
要求元の端末は、設定変更要求を選択された代表端末に送信する手段を備え、
前記選択された代表端末は、前記設定変更要求を受信したならば、少なくとも過半数の代表端末に許可要求を送信する手段を備え、
前記選択された代表端末は、過半数の代表端末から、前記許可要求に対する許可通知を受信したならば、前記要求元の端末に、成功通知を送信する手段を備え、
前記要求元の端末は、前記成功通知を受信したならば、少なくとも設定変更の内容を含む実行指示を前記複数の端末に送信する手段を備え、
前記実行指示を受信した端末は、前記設定変更の内容に従って、設定変更をする手段を備えることを特徴とするネットワーク設定変更システム。
【請求項８】
複数の端末が接続されるネットワークの設定を変更するためのネットワーク設定変更システムに含まれる要求元端末であって、
設定変更要求を選択された代表端末に送信する手段と、
前記選択された代表端末から前記成功通知を受信したならば、少なくとも設定変更の内容を含む実行指示を前記複数の端末に送信する手段と、
を備えることを特徴とする要求元端末。
【請求項９】
複数の端末が接続されるネットワークの設定を変更するためのネットワーク設定変更システムに含まれる選択された代表端末であって、
要求元の端末から、設定変更要求を受信する手段と、
前記設定変更要求を受信したならば、少なくとも過半数の代表端末に許可要求を送信する手段と、
過半数の代表端末から、前記許可要求に対する許可通知を受信したならば、前記要求元の端末に、成功通知を送信する手段と、
を備えることを特徴とする選択された代表端末。
【請求項１０】
複数の端末が接続されるネットワークの設定を変更するためのネットワーク設定変更システムに含まれる代表端末であって、
選択された代表端末から許可要求を受信する手段と、
前記許可要求に対する許可通知を前記選択された代表端末に送信する手段と、
前記許可要求に対する前記許可通知を送信したならば、許可可能状態フラグをリセットする手段と、
前記許可要求を受信した時に、前記許可可能状態フラグがリセットされている場合には、前記許可要求に対して不許可通知を許可通知の代わりに送信する手段と、
を備えることを特徴とする代表端末。
【手続補正２】
【補正対象書類名】明細書
【補正対象項目名】０００７
【補正方法】変更
【補正の内容】
【０００７】
本発明の第１の観点によれば、複数の端末が接続されるネットワークの設定を変更するためのネットワーク設定変更方法であって、要求元の端末が、設定変更要求を選択された代表端末に送信するステップと、前記選択された代表端末が、前記設定変更要求を受信したならば、少なくとも過半数の代表端末に許可要求を送信するステップと、前記選択された代表端末が、過半数の代表端末から、前記許可要求に対する許可通知を受信したならば、前記要求元の端末に、成功通知を送信するステップと、前記要求元の端末が、前記成功通知を受信したならば、少なくとも設定変更の内容を含む実行指示を前記複数の端末に送信するステップと、前記実行指示を受信した端末が、前記設定変更の内容に従って、設定変更をするステップと、を有することを特徴とするネットワーク設定変更方法が提供される。
本発明の第２の観点によれば、複数の端末が接続されるネットワークの設定を変更するためのネットワーク設定変更システムであって、要求元の端末は、設定変更要求を選択された代表端末に送信する手段を備え、前記選択された代表端末は、前記設定変更要求を受信したならば、少なくとも過半数の代表端末に許可要求を送信する手段を備え、前記選択された代表端末は、過半数の代表端末から、前記許可要求に対する許可通知を受信したならば、前記要求元の端末に、成功通知を送信する手段を備え、前記要求元の端末は、前記成功通知を受信したならば、少なくとも設定変更の内容を含む実行指示を前記複数の端末に送信する手段を備え、前記実行指示を受信した端末は、前記設定変更の内容に従って、設定変更をする手段を備えることを特徴とするネットワーク設定変更システムが提供される。
本発明の第３の観点によれば、複数の端末が接続されるネットワークの設定を変更するためのネットワーク設定変更システムに含まれる要求元端末であって、設定変更要求を選択された代表端末に送信する手段と、前記選択された代表端末から前記成功通知を受信したならば、少なくとも設定変更の内容を含む実行指示を前記複数の端末に送信する手段と、を備えることを特徴とする要求元端末が提供される。
本発明の第４の観点によれば、複数の端末が接続されるネットワークの設定を変更するためのネットワーク設定変更システムに含まれる選択された代表端末であって、要求元の端末から、設定変更要求を受信する手段と、前記設定変更要求を受信したならば、少なくとも過半数の代表端末に許可要求を送信する手段と、過半数の代表端末から、前記許可要求に対する許可通知を受信したならば、前記要求元の端末に、成功通知を送信する手段と、を備えることを特徴とする選択された代表端末が提供される。
本発明の第５の観点によれば、複数の端末が接続されるネットワークの設定を変更するためのネットワーク設定変更システムに含まれる代表端末であって、選択された代表端末から許可要求を受信する手段と、前記許可要求に対する許可通知を前記選択された代表端末に送信する手段と、前記許可要求に対する前記許可通知を送信したならば、許可可能状態フラグをリセットする手段と、前記許可要求を受信した時に、前記許可可能状態フラグがリセットされている場合には、前記許可要求に対して不許可通知を許可通知の代わりに送信する手段と、を備えることを特徴とする代表端末が提供される。
【手続補正３】
【補正対象書類名】明細書
【補正対象項目名】０００８
【補正方法】削除
【補正の内容】
【国際調査報告】
2012161300.tif 000010
2012161300.tif 000011